(57)【要約】木質材料のまたは木質材料・プラスチック混合物のコア（１７）と、上面（１８）と、下面（１９）とからなるパネル、特にフロアパネル（１，２）であって、このパネルは、少なくとも２つの互いに向かい合った横方向エッジ（Ｉ，ＩＩ）に、互いに対応するフック要素（４，６）を有し、この第１のフック要素（４）は、実質的に上面（１８）に向かって開いたプロファイルによって形成され、第２のフック要素（６）は、実質的に下面（１９）に向かって開いたプロファイルによって形成され、各々のプロファイルは、第１のフック要素（４）に、実質的に上面（１８）に向いた突出部（５）を形成し、第２のフック要素（６）に、実質的に下面（１９）に向いた突出部（７）を形成し、２つの同一に形成されたパネルは、実質的に垂直方向の結合運動によって、水平方向（Ｈ）および垂直方向（Ｖ）に互いに結合可能およびロック可能であり、突出部（５，７）の少なくとも一方が、結合運動の際に、水平方向（Ｈ）に退避し、続いて、垂直方向のロックのために、実質的に水平方向（Ｈ）に延びているロッキング・エッジ（１０）の後方へはめ込まれ、複数のフック要素（４）の少なくとも１つが、分割されており、このことによって、複数の平行に間隔をあけたばね要素（４）が形成されてなるパネルは、複数のばね要素（４）が、縦軸（Ｌ）に対し角度（α）で傾斜して延びているように設けられていることを特徴とする。【選択図】      図１
2011528761.tif 000002
【特許請求の範囲】
【請求項１】
木質材料のまたは木質材料・プラスチック混合物のコア（１７）と、上面（１８）と、下面（１９）とからなるパネル、特にフロアパネル（１，２）であって、このパネルは、少なくとも２つの互いに向かい合った横方向エッジ（Ｉ，ＩＩ）に、互いに対応するフック要素（４，６）を有し、この第１のフック要素（４）は、実質的に前記上面（１８）に向かって開いたプロファイルによって形成され、前記第２のフック要素（６）は、実質的に前記下面（１９）に向かって開いたプロファイルによって形成され、各々のプロファイルは、前記第１のフック要素（４）に、実質的に前記上面（１８）に向いた突出部（５）を形成し、前記第２のフック要素（６）に、実質的に前記下面（１９）に向いた突出部（７）を形成し、２つの同一に形成されたパネルは、実質的に垂直方向の結合運動によって、水平方向（Ｈ）および垂直方向（Ｖ）に互いに結合可能およびロック可能であり、前記突出部（５，７）の少なくとも一方が、結合運動の際に、水平方向（Ｈ）に退避し、続いて、垂直方向のロックのために、実質的に水平方向（Ｈ）に延びているロッキング・エッジ（１０）の後方へはめ込まれ、複数のフック要素（４）の少なくとも１つが、分割されており、このことによって、平行に間隔をあけた複数のばね要素（４）が形成されてなるパネルにおいて、
前記複数のばね要素（４）は、前記縦軸（Ｌ）に対し角度（α）で傾斜して延びているように設けられていることを特徴とするパネル。
【請求項２】
２つの突出部（５，７）はアンダーカット（８，９）を有し、各々のアンダーカット（８，９）は、実質的に水平方向（Ｈ）に延びているロッキング・エッジ（１０，１１）を有することを特徴とする請求項１に記載のパネル。
【請求項３】
前記複数のばね要素を形成する前記フック要素（４）は、前記上面に向かって開いたフック要素（４）であることを特徴とする請求項１または２に記載のパネル。
【請求項４】
前記ばね要素（４）の前記下面は、少なくとも前記突出部（５）の領域で、前記水平線（Ｈ）に対し角度（β）で傾斜していることを特徴とする請求項１ないし３のいずれか１項に記載のパネル。
【請求項５】
前記角度（β）＝１０°であることを特徴とする請求項４に記載のパネル。
【請求項６】
前記複数のばね要素（４）は規則的に互いに間隔をあけていることを特徴とする請求項１ないし５のいずれか１項または複数項に記載のパネル。
【請求項７】
請求項１ないし６のいずれか１項に記載の２つのパネル（１，２）を結合しかつロックするための方法であって、この方法では、前記下方へ開いたフック要素（６）を有する前記取り付けられるパネル（２）を、近くにあって前記縦側に対し平行に位置している回転軸を中心として旋回し、前記下面（１９）に向かって開いた前記フック要素（６）を、連続的にかつ順々に、フロアに横たわっているパネル（１）の、前記上面（１８）に向かって開いたフック要素（４）へ旋回して入れ、前記突出部（７）は、前記複数のばね要素（４）の前記複数の突出部（５）を順々に把持し、かつ弾性的にこれらの突出部を外側へ曲げ、各々のばね要素（４）の各々の突出部（５）は、前記突出部に形成された前記アンダーカット（９）が、前記突出部（７）のアンダーカットに重なるときに、跳ね戻り、前記ばね要素（５）の退避運動は、以下の３つの運動、すなわち、
ａ）前記突出部（５）を前記パネル（１）の横方向（Ｑ）に移動させること、
ｂ）前記突出部（５）を前記パネル（１）の縦方向（Ｌ）に退避させること、
ｃ）前記突出部（５）と前記横方向エッジ（Ｉ）との間に形成されておりかつ上方へ開いた溝（１４）を拡張すること、に区分される。
【請求項８】
前記溝（１４）の拡張を、縦方向（Ｌ）に向いている旋回軸（Ｓ）を中心とした前記突出部（５）の旋回運動によって重ねることを特徴とする請求項７に記載の方法。
【発明の詳細な説明】
【技術分野】
【０００１】
本発明は、木質材料のまたは木質材料・プラスチック混合物のコアと、上面と、下面とからなるパネル、特にフロアパネルに関する。このパネルは、少なくとも２つの互いに向かい合った横方向エッジに、互いに対応するフック要素を有し、この第１のフック要素は、実質的に上面に向かって開いたプロファイルによって形成され、第２のフック要素は、実質的に下面に向かって開いたプロファイルによって形成され、各々のプロファイルは、第１のフック要素に、実質的に上面に向いた突出部を形成し、第２のフック要素に、実質的に下面に向いた突出部を形成し、これらのフック要素の少なくとも一方は、結合運動の際に、水平方向に退避し、続いて、垂直方向のロックのために、実質的に水平方向に延びているロッキング・エッジの後方へはめ込まれるばね要素であり、これらのフック要素の少なくとも１つが、分割されており、このことによって、複数の平行に間隔をあけたばね要素が形成される。
【背景技術】
【０００２】
このようなパネルは、例えば特許文献１から公知である。
【０００３】
特許文献２から公知であるパネルにおいても、水平方向に延びているロッキング表面を有するロッキング要素は、コアに対して剥き出しにされている。このことによって、降下運動の際に、ロッキング要素は、退避運動を実行することができる。パネルの厚みが少ないとき、特に、パネルが６または７ｍｍの厚みを有する場合に、このような結合個所の剛性は、しばしば不十分である。スチールロール（ＤＩＮ  １３３２９）を用いた通常の試験では、何回もの繰り返し荷重によって、複数の隣接するパネルの間の僅かな垂直方向のずれが、特に、横方向のロッキングの領域で、生じることがある。このことは、光の好ましくない入射の際に、即座に見えてくる。このことによって、フロアコーティングは、質が低いという印象を生むことになる。
【０００４】
特許文献３からは、装飾層を有する上面と、支持のためにサブフロアに設けられた下面とによって水平方向面で区画されているフロアパネルが公知である。このフロアパネルは、少なくとも２つのパネルを着脱自在に結合するための手段を有する。少なくとも１つの第１の横方向エッジで、結合手段は、横側のおよび垂直方向でのロッキングがなされるように、形成されている。この第１の横方向エッジに対し角度で延びている第２の横方向エッジには、他のパネルと垂直方向にロックするための、形による結合要素（Formschlusselemente）が形成されている。このフロアパネルでは、形による結合要素は、２つの、互いに間隔をあけておりかつ実質的に垂直方向に形成された壁部に、横方向および垂直方向に互いに間隔をあけて形成されている。２つのパネルの組み合わせが可能であるように、水平方向に向けられたロッキング表面が、非常に小さい寸法であることができる。横方向の延長部は、約０．０５ないし１．０ｍｍの範囲にある。しかしまた、このことによって、必然的に、僅かな、垂直方向に向いた力を吸収する可能性のみが生じる。それ故に、フロアの僅かな凹凸および／または軟らかな基礎の場合でも、通常の負荷の下で、結合個所が跳ね戻らないことを保証するために、極めて僅かな公差で製造を行なわねばならない。
【０００５】
特許文献４からは、木質材料のコアを有し、少なくとも１つの横方向エッジで横方向エッジの長さに亘って、上舌部および下舌部を形成する溝を有し、向かい側の横方向エッジで、溝に対応するばねをもって形成されているフロアパネルが公知である。互いに結合されたパネルをロックするために、ばねは、少なくとも１つの突出部を有する。溝は、少なくとも１つの突出部に向い合った舌部に、少なくとも１つの凹部を有する。ここでは、凹部は、突出部よりも長い。凹部を有する舌部は、横方向エッジに、凹部まで延びている少なくとも１つの窪みを有する。この窪みの長さは、少なくとも、突出部の長さと同じ大きさである。縦方向に関しては、複数の窪みおよび突出部は、互いにずれている。２つのパネルの結合を、この構造によって、バヨネット式に行なうのは、まず、パネルの横方向に向いている結合運動を行なうことによってである。それ故に、ばねは溝に挿入され、続いて、縦方向に向いた運動によって、バヨネット閉鎖方式で２つのパネルのロックがなされる。
【０００６】
横方向エッジのこのプロファイルは、構造的に非常に複雑であり、パネルの敷設が部分的に複雑である。何故ならば、ばねが、横方向エッジの全長に亘って、溝にはめ込まれていることが、保証されていなくてはならないからである。それから、最終的なロック運動が、パネルの縦軸に対し完全に平行にはなされないときは、敷設されるパネルが傾けられ、ばねが旋回して溝から出て、それ故に、ロックが最早不可能であるという危険性が存在する。
【０００７】
特許文献５は、可視面、取付面ならびに可視面を取付面と結ぶ複数の端面を有する実質的に平らな立方形の基体を備えた壁用タイルを開示する。これらの端面のうちの少なくとも１つには、タイルと一体化されておりかつタイルの縦方向熱膨張を補償するための手段を有するスペーサが設けられている。複数のスペーサは、フック状のプロファイルを有する。それ故に、２つのタイルは、垂直方向の下降運動によって、互いに結合されることができる。
【０００８】
特許文献６も、フック状のプロファイルの付いた横方向エッジを有し、垂直方向の下降運動によって互いに形によって結合されることができるパネルを開示する。
【０００９】
特許文献７から公知であるフロアパネルは、少なくとも２つの向かい合った横方向エッジに、互いに対応するプロファイルを有し、それ故に、２つの同一に形成されたパネルは、実質的に垂直方向の結合運動によって、水平方向および垂直方向に互いに結合可能およびロック可能である。垂直方向のロックは、水平方向に可動なばね要素によって引き起こされる。このばね要素は、結合の際に、実質的に水平方向に延びているロッキング・エッジの後方に掛止する。このばね要素は、コアと一体的に成形されている。
【先行技術文献】
【特許文献】
【００１０】
【特許文献１】DE 10 2007 020 271 A1
【特許文献２】DE 10 2007 015 048 A1
【特許文献３】DE 102 24 540 A1
【特許文献４】DE 101 59 284 A1
【特許文献５】DE 198 23 357 A1
【特許文献６】DE 200 08 708 U1
【特許文献７】WO 2008/116623 A1
【発明の概要】
【００１１】
この課題提示を前提として、明細書の最初の部分に記載のパネルを、従来の技術より大きなロッキング表面が実現されることができ、従ってまたより確実なロックが保証されているべく、フック要素のプロファイルが改善されるように、改善することが意図される。
【００１２】
課題を解決するために、本発明の前提部分に記載のパネルは、複数のばね要素が縦軸に対し或る角度で傾斜して延びているように設けられていることを特徴とする。
【００１３】
このようなロックは、特に、互いに結合されるパネルの横側のために、適切である。互いに向かい合った横方向エッジに設けられた複数のフック要素は、互いに後方で係合し、このことによって、２つのパネルを水平方向および垂直方向にロックする。分割によって、これらのフック要素の、弾性的に退避可能な突出部が移動され、パネルの最終位置で、再度、出発位置に跳ね戻る。このことによって、垂直方向のロックがなされる。複数のばね要素が横方向エッジ（縦軸）に対し角度で延びていることによって、各々の下方のフック要素が、２つのパネルの結合の際に、下方にかつ同時に側方に、退避することができる。このことによって、上方のフックを通過させるための、より多くのスペースが生じる。傾斜面によって、ロッキング表面が大きくなる。このことは、ロックをより確実にする。
【００１４】
２つの突出部がアンダーカットを有することは好ましい。各々のアンダーカットは、実質的に水平方向に延びているロッキング・エッジを有する。
【００１５】
ばね要素が、上面に向かって開いたフック要素に形成されているとき、パネルの敷設が簡略化される。何故ならば、新たに取り付けられるプロファイルの下降運動が均等化されるからである。
【００１６】
ばね要素の下面が、少なくとも突出部の領域で、水平線に対し角度βで傾斜しているとき、敷設の際にばね要素が旋回運動も実行することができるように、十分な退避空間が使用される。
【００１７】
ばね要素の退避運動は、複数の運動からなる。主に、複数のばね要素が、上方の突出部によって、パネルの縦軸の方向に移動される。縦軸に対し斜めに延びているスロットによって、しかしながら、ばね要素は、パネルの横方向にも退避することができる。横方向でのばね要素の曲げ強さは、主に、ばね要素の幅によって定められる。ロッキング力によって引き起こされる、突出部の、横方向の、水平方向の退避は、溝の拡張をもたらす。それ故に、一方の突出部のアンダーカットは、他方の突出部のアンダーカットの後方を係合する。ばね要素の退避運動が、横方向に延びている軸を中心とした回転によって重ねられることができるのは、ばね要素が、退避のための下方への十分なスペースを有する場合である。
【００１８】
角度βが、１０°より小さいかまたは１０°と同一であることは好ましい。
【００１９】
ばね要素が、規則的に間隔をあけていることは好ましい。
【００２０】
本発明に基づいて構成された２つのパネルを結合しかつロックするための方法は、以下のことによって、すなわち、下方へ開いたフック要素を有する取り付けられるパネルを、近くにあって縦側に対し平行に位置している回転軸を中心として旋回して、上面に向かって開いたフック要素へ入れ、下面に向かって開いたフック要素の突出部は、複数のばね要素の複数の突出部を順々に把持し、かつ弾性的にこれらの突出部を外側へ曲げ、それ故に、これらのばね要素が退避し、ばね要素の各々の突出部は、突出部に形成されたアンダーカットが、下方へ開いたフック要素の突出部のアンダーカットに重なるときに、跳ね戻り、複数のばね要素の退避運動は、以下の３つの運動、すなわち、
ａ）突出部をパネルの縦軸の方向に移動させること、
ｂ）突出部をパネルの横方向に退避させること、
ｃ）突出部と横方向エッジとの間に形成されておりかつ上方へ開いた溝を拡張すること、に区分されることによって、なされる。
【００２１】
溝の拡張を、パネルの横側に平行に延びている軸を中心とした突出部の旋回運動によって重ねることができる。
【図面の簡単な説明】
【００２２】
【図１】結合工程中の２つのパネルの斜視図を示す。
【図２ａ】ロッキングの個々の段階を示す。
【図２ｂ】ロッキングの個々の段階を示す。
【図２ｃ】ロッキングの個々の段階を示す。
【図２ｄ】ロッキングの個々の段階を示す。
【図３】パネルの部分平面図を示す。
【図４】図３に示した表示矢印ＩＶの方向に見た側面図を示す。
【図５】図２ｃに示したロッキング位置におけるパネルの平面図を示す。
【図６】図５に示した表示矢印ＶＩの方向に見たパネルの図を示す。
【図７】パネルの他の実施の形態の部分斜視図を示す。
【図８】結合工程中の２つのパネルの他の実施の形態の斜視図を示す。
【発明を実施するための形態】
【００２３】
以下、図面を参照して、本発明の実施の形態を詳述する。パネル１，２は同一に形成されている。これらのパネルは、木質材料のまたは木質材料・プラスチック混合物のコア１７からなる。一方のパネルの縦側は、通常、横側よりも長い。図面では、パネル１，２は、パネルの横側の結合個所にあることが示されている。互いに向かい合っている横方向エッジI、IIでは、パネル１，２にプロファイルが形成されている。横方向エッジIは、上面１８からミリング加工され、横方向エッジIIは下面１９からミリング加工されている。このことによって、２つの互いに対応するフック要素４，６が形成される。フック要素４は、上面１８に向いた突出部５を有し、フック要素６は、下面１９の方向に向いた突出部７を有する。２つのフック要素４，６は、アンダーカット８，９を有する。アンダーカット８は、突出部７から側方にコア１７の方向に突出しているロッキング要素３によって形成される。アンダーカット８，９各々は、実質的に水平方向に延びているロッキング・エッジ１０，１１を有する。図から見て取れるように、ロッキング・エッジ１０，１１は、水平線Ｈに対し或る角度で延びていてもよい。しかし、ロッキング・エッジのロッキング作用は、垂直方向Ｖに向けられている。ロッキング・エッジは、このことにも係わらず、実質的に水平方向に延びている。
【００２４】
フック要素４は、ばね弾性的に形成されかつ分割されている。それ故に、通常は互いに間隔をあけている個々のばね要素４が形成される。これらのばね要素４の弾性は、一方では、薄い下舌部１２によって、他方では、複数のスロット１３によって生じる。前者は、横方向エッジIから外へ突出しており、下舌部の外端には、突出部５が続いている。後者は、角度αで、垂直方向Ｖに連続的に、フック要素４を通って、規則的な間隔をあけて形成されている。従って、各々のばね要素４は、一側でのみ、パネル１のコア１７と結合されている。突出部５の領域では、下舌部１２が、水平線に対し角度βで傾斜して延びている。
【００２５】
図７が示すように、ロッキング要素３は、分割されていてもよい。それ故に、複数の平行に間隔をあけたロッキング要素３が生じる。２つの互いに結合されたパネルの、垂直方向のずれを、ロッキング機能とは無関係に調整することができるように、パネル１，２の、図８に示した実施の形態では、水平方向の接触面２０，２１が夫々設けられている。
【００２６】
図１および図２ａないし図２ｄは、ロッキング工程を明らかにする。ここに図示しない縦側に、パネル１，２は、プロファイルを有する。このプロファイルによって、新たに取り付けられるパネル２を、或る角度で、既にフロアに横たわっているパネルの縦側に挿入し、次に、パネルを曲げてサブフロアの上に設置して、縦側を結合およびロックすることが可能である。このようなプロファイルは、例えばDE 102 24 540 A1に開示されている。この公報の開示内容を完全に引用する。横側すなわちパネル１，２の短辺には、本発明に係わるプロファイルが設けられている。新たに取り付けられるパネル２は、既にフロアに横たわっているパネルの縦側に結合され、パネル２の横方向エッジＩＩは、パネル１にしっかり取り付けられる。このパネルは、同様に自らの縦側で、既に敷設されたパネルと結合される。旋回降下の際に、図２ａに示すように、突出部７の傾斜した下面１４は、突出部５の傾斜した上面１５と接触する。このことによって、突出部５は、まず、横方向Ｑに退避する。それ故に、横方向エッジＩと突出部５との間に形成される溝１２が拡張される。個々のばね要素４の間に、パネル１の縦方向Ｌにコア１７に対し角度αで傾斜して延びているスロットによって、空隙が設けられているので、フック要素５は、パネル２の更なる降下運動の際に、パネル１の縦方向Ｌにも退避することができる。同時に、突出部５の旋回運動が、パネル１の縦方向Ｌに平行に延びている旋回軸Ｓを中心として生じる。この旋回運動を可能にするために、下舌部１２は、少なくとも突出部５の領域で、角度αで傾斜している。旋回運動は、下舌部１２がこの領域でサブパネルに載せられているようになるまで、実行される。このことによって、更なる旋回運動が阻止される（図２ｃを参照せよ）。パネル２が降下し続けるとき、アンダーカット８，９が互いに重なる。突出部５は、旋回軸Ｓを中心として、弾性的に跳ね戻り、フック要素４，６は、互いに組み合わさる。ロッキング表面１０，１１は互いに接している。互いにロックされたパネル１，２は、横方向エッジＩ，ＩＩの上方領域で、互いにしっかりと接触している。図２ｄが示すように、突出部５の面１５，１６は、パネル２と全然接触を有しない。
【００２７】
前述のプロファイル・アセンブリは、このプロファイル・アセンブリが、コア材料から一体的に作り出されており、外付け部品を必要とせず、従って、他の場合よりも少ない製作公差が保たれるという利点を有する。剛性が高まる結果として、複数の力が、垂直方向に伝達されることができる。プロファイルは、薄いパネルにも適している。製造のためには、一側のみで可動なツール、好ましくはプランジミリングカッタが必要である。製造は、実質的に、DE 10 2007 015 048 A1に記載されているように、なされる。アンダーカット８，９を製造するために、フック要素４，５が、図示しない縦形のツールによって加工される。パネルの縦軸Ｌに対し斜めに延びているスロット１３は、パネル１が加工ステーション（図示せず）の傍を通過する間に、垂直方向Ｖにコア１７に突入するフライスによって作り出される。突入するフライスが、搬送方向に対し斜めにあるので、これらのフライスは、該フライスが、突入の方向のみならず、パネル１の搬送方向にも切断するように、研磨されていなければならない。このことによって、いわゆる引き切りが生じる。
【符号の説明】
【００２８】
１  パネル
２  パネル
３  ロッキング要素
４  フック要素またはばね要素
５  突出部
６  フック要素
７  突出部
８  アンダーカット
９  アンダーカット
１０  ロッキング表面
１１  ロッキング表面
１２  下舌部
１３  ギャップまたはスロット
１４  溝
１５  面
１６  面
１７  コア
１８  上面
１９  下面
２０  結合エッジ
２１  結合エッジ
Ｉ  横方向エッジ
ＩＩ  横方向エッジ
α  角度
β  角度
Ｌ  パネルの縦方向
Ｑ  パネルの横方向
Ｖ  垂直方向
【図１】
2011528761.tif 000003
【図２ａ】
2011528761.tif 000004
【図２ｂ】
2011528761.tif 000005
【図２ｃ】
2011528761.tif 000006
【図２ｄ】
2011528761.tif 000007
【図３】
2011528761.tif 000008
【図４】
2011528761.tif 000009
【図５】
2011528761.tif 000010
【図６】
2011528761.tif 000011
【図７】
2011528761.tif 000012
【図８】
2011528761.tif 000013
【手続補正書】
【提出日】平成23年2月17日(2011.2.17)
【手続補正１】
【補正対象書類名】明細書
【補正対象項目名】００１０
【補正方法】変更
【補正の内容】
【００１０】
【特許文献１】DE 10 2007 020 271 A1
【特許文献２】DE 10 2007 015 048 A1
【特許文献３】DE 102 24 540 A1
【特許文献４】DE 101 59 284 A1
【特許文献５】DE 198 23 357 A1
【特許文献６】DE 200 08 708 U1
【特許文献７】WO 2008/116623 A1
【特許文献８】US 2009/0249733 A1
【特許文献９】US 2003/0101681 A1
【国際調査報告】
2011528761.tif 000014
2011528761.tif 000015
2011528761.tif 000016
2011528761.tif 000017